(57)【要約】【課題】メモリカードを挿し込んで読み書き用として使用するに当たり、更に実用性を高めるべく、トレータイプのシリコンディスクドライバを提供する。【解決手段】外枠１０と該外枠１０内に設置される台座２０、該台座２０上で摺動開閉するトレー３０より構成し、更に該外枠１０内に回路基板１２を設け、該回路基板１２に伝送ユニット１１及び数個の接点１３を設け、該トレー３０底部に複数の端子を設け、該トレー３０を摺動させて開けてメモリカード５０を設置することで該トレー３０の端子上方を該メモリカード５０の出入力端子５１と接触させ、また該トレー３０を摺動させて閉じることで該トレー３０の端子下方を該回路基板１２の接点１３と電気的に連結し、該メモリカード５０のデータが該出入力端子５１や該トレー３０の端子及び接点１３を通し、該伝送ユニット１１によって伝送が行われるようにする。【選択図】　　　　図５
2004103543.tif 000002
【特許請求の範囲】
【請求項１】
外枠、該外枠内に設置される台座、及び該台座上にて摺動して移動することにより開閉するトレーとより構成されるトレータイプのシリコンディスクドライブにおいて、
且つ該台座下方には更に回路基板が設けられており、該回路基板には更に伝送ユニット及び数個の接点が設けられており、該トレー底部には複数の端子が設けられており、該トレーを摺動させて開けることでメモリカードを設置すると、該トレーの端子が該メモリカードの出入力端子と接触し、該トレーを摺動させて閉じることで、該トレー下方と該回路基板の接続端子とを接触させて電気的に連結させ、該メモリカードのデータが該出入力端子、該トレーの端子及び接点を通し、該伝送ユニットによってデータが伝送されるものであることを特徴とするトレータイプのシリコンディスクドライブ。
【請求項２】
外枠、該外枠内に設置される台座、及び該台座上にて摺動して移動することにより開閉するトレーとより構成されるトレータイプのシリコンディスクドライブにおいて、
且つ該台座下方には更に回路基板が設けられており、該回路基板には更に伝送ユニット及び数個の接点がもうけられており、該トレー底部には複数の端子が設けられており、該端子には更に該トレー本体に固定される固定端並びに上下にそれぞれ湾曲した第一接触端と第二接触端とを具有し、
該トレーを摺動させて開け、該メモリカードを設置すると、該第一接触端は該メモリカードの出入力端子と接触し、該トレーを摺動させて閉じると、該第二接触端は該台座下方の回路板の接点と電気的に連結されて、該伝送ユニットをとして該メモリカードのデータが伝送されることを特徴とするトレータイプのシリコンディスクドライブ。
【請求項３】
外枠、該外枠内に設置される台座、及び該台座上にて摺動して移動することにより開閉するトレーとより構成されるトレータイプのシリコンディスクドライブにおいて、
該外枠内には回路基板が設置され、該回路基板には更に伝送ユニット及び数個の接点が設けられており、該トレー底部には複数の端子が設置されており、且つ前方には位置限定部が設けられており、該位置限定部には更にストップ板及び少なくとも一つ以上の弾力部が設けられており、
該トレーを摺動させて開けることで該メモリカードを設置すると、該ストップ板は前向きに傾いて回転した後、該弾力部が弾力を回復することにより、該メモリカードを定位させ、該メモリカードの出入力端子が該トレー底部と接触し、逆に該トレーを摺動させて閉じると、該端子が該回路板の接点と電気的に連結され、並びに該伝送ユニットを通じて該メモリカードのデータが伝送されることを特徴とするトレータイプのシリコンディスクドライブ。
【請求項４】
該伝送ユニットの規格には更にＩＤＥ／ＡＴＡＰＩ，ＵＳＢ及びＩＥＥＥ１３９４のシステムのインターフェイスを含むことを特徴とする請求項１或いは請求項２或いは請求項３記載のトレータイプのシリコンディスクドライブ。
【請求項５】
該外枠は該伝送ユニットによって該コンピュータホスト及び形態タイプのデジタル器機に連結されていることを特徴とする請求項１或いは請求項２或いは請求項３記載のトレータイプのシリコンディスクドライブ。
【請求項６】
該台座両側には更に軌道が設けられており、且つ片側にはリジェクトボタンが設けられており、また該トレー両側には該軌道に合わせて導引溝が設けられており、
該トレーが該台座上にて摺動して移動し閉じられるようにしており、該リジェクトボタンを押すことで該トレーが開かれることを特徴とする請求項１或いは請求項２或いは請求項３記載のトレータイプのシリコンディスクドライブ。
【請求項７】
該台座底部は平板状を呈しており、且つ数個の孔が設けられ該回路基板の接点に対応しており、該トレーが摺動して閉じるとき、該トレーの端子が該孔を経て該回路基板の接点と電気的に連結されることを特徴とする請求項１或いは請求項２或いは請求項３記載のトレータイプのシリコンディスクドライブ。
【請求項８】
該トレー前側には位置限定部が設けられており、且つ該位置限定部には更にストップ板、並びに少なくとも一つ以上の弾力部が設けられており、
該トレーが摺動して開き、該メモリカードを設置するとき、該ストップ板が前向きに傾いて回転した後、該弾力部の弾力が回復することにより、該メモリカードを引っ掛けて押さえることを特徴とする請求項１或いは請求項２記載のトレータイプのシリコンディスクドライブ。
【請求項９】
該トレー底部に設けられた複数の端子はそれぞれ該トレー本体の固定端、及びそれぞれ上向きと下向に湾曲した第一及び第二接触端を具有し、該トレーが摺動して開けられて該メモリカードが設置されると、該第一接触端が該メモリカードの出入力端子と接触し、該トレーが摺動して閉じられると、該第二接触端が該台座下方の回路板の接点と電気的に連結されることを特徴とする請求項１或いは請求項２或いは請求項３記載のトレータイプのシリコンディスクドライブ。
【請求項１０】
該位置限定部には更に連動片を含み、
該ストップ板はやや前方に傾いて回転すると同時に、下方の該連動片底部を上側に向かって連動させ、こうすることで該連動片が該メモリカードを上向きに持ち上げて、該メモリカードが該トレーより取り出し易くなることを特徴とする請求項３記載のトレータイプのシリコンディスクドライブ。
【発明の詳細な説明】
【０００１】
【発明の属する技術分野】
本発明はトレータイプのシリコンディスクドライブに係り、特にＣＦ（登録商標）Ｃａｒｄのｔｙｐｅ１／２やＳＭ（登録商標）Ｃａｒｄ，Ｍｕｌｔｉ　Ｍｅｄｉａ　ＣａｒｄやＳｅｃｕｒｅ　Ｍｅｄｉａ　Ｃａｒｄ、Ｓｅｃｕｒｅ　Ｄｉｇｉｔａｌ　Ｃａｒｄ、ｘＤ（登録商標）Ｃａｒｄ及びメモリースティック（登録商標）カードなどを含むメモリカードの読み書きに応用されるものであり、コンピュータホストや形態タイプのデジタル製品上に設置されて使用されるものに関わる。
【０００２】
【従来の技術】
シリコンディスクドライブとは、一種のメモリカード（シリコンディスク）に対し読み書きを行う装置のことを指すが、例えば、特許２７３６８５０号公報等が知られており、公知における構造としては図１に示すように、シリコンディスクドライブ１はボックス型を呈しており、伝送ユニット２に搭載されている、若しくはコンピュータホストや、或いはＰＤＡやデジタルカメラを始めとする携帯タイプのデジタル器機に外接されている。
図１に示すように、前側にはスロットが設けられてメモリカード３が押し込まれる個所を提供しており、該メモリカード３をスロットより該シリコンディスクドライブ１に押し込んだ後、該シリコンディスクドライブ１の伝送ユニット２が該コンピュータホストあるいは形態タイプのデジタル機器にまで連結され、その読み書きが行われるようになっている。
また該メモリカード３は例えばＣＦ（ＣｏｍｐａｔＦｌａｓｈ（登録商標））Ｃａｒｄのｔｙｐｅ１／２やＳＭ（Ｓｍａｒｔ　Ｍｅｄｉａ　（登録商標）縦４５ｍｍ　横３７ｍｍ　厚さ０．７６ｍｍの記憶メディア）Ｃａｒｄ，Ｍｕｌｔｉ　Ｍｅｄｉａ　Ｃａｒｄ（Ｍｕｉｔｉｍｅｄｉａ　Ｃａｒｄ　縦３２ｍｍ　横２４ｍｍ　厚さ１．４ｍｍの記憶メディア）　やＳｅｃｕｒｅ　Ｍｅｄｉａ　Ｃａｒｄ、Ｓｅｃｕｒｅ　Ｄｉｇｉｔａｌ　Ｃａｒｄ（Ｓｅｃｕｒｅ　Ｄｉｇｉｔａｌ　Ｃａｒｄ　縦２４ｍｍ　横３２ｍｍ　厚さ２．１ｍｍの記憶メディア）、ｘＤ　Ｃａｒｄ（ＸＤ−Ｐｉｃｔｕｒｅ　Ｃａｒｄ（登録商標）縦２０ｍｍ横２５ｍｍ厚さ１．７ｍｍの記憶メディアメ）びメモリースティック（Ｍｅｍｏｒｙ　Ｓｔｉｃｋ（登録商標））カード等、異なる規格により、異なる位置にそれぞれ出入力端子が設けられている。
該メモリカード３を該シリコンディスクドライブ１に挿し込むという点ではいずれのカードも使用法が共通しており、該出入力端子は該シリコンディスクドライブ１内で固定された接続端子或いは接点と摩擦接触するのであり、該メモリカード３を挿入して定位した際、該シリコンディスクドライブ１内に固定された接続端子或いは接点は緊密に接触している状態となっている。
【０００３】
【発明が解決しようとする課題】
しかし、シリコンディスクのメモリカードの露出する接点の厚さは薄く、上述のような公知構造におけるシリコンディスクドライブにおける欠点として、メモリカードは抜き差しの過程において、該出入力端子が該シリコンディスクドライブ内にて固定されている接続端子或いは接点が、摩擦を繰り返すことによってギアメモリカードの出入力端子が磨耗し易く、一端磨耗してしまったら該メモリカードが使用できなくなってしまい、大切なデータが読み取れないということが起こってしまうことが挙げられる。
本件発明は、そこで上述の欠点に鑑み、メモリカードを挿し込んで読み書き用に使用するに当たり、接続端子或いは接点の摩擦を少なくし、更に利便性や実用性を高めたトレータイプのシリコンディスクドライバを提供する。
【０００４】
【課題を解決するための手段】
前記課題を解決するために、請求項１の発明は、外枠、該外枠内に設置される台座、及び該台座上にて摺動して移動することにより開閉するトレーとより構成されるトレータイプのシリコンディスクドライブにおいて、且つ該台座下方には更に回路基板が設けられており、該回路基板には更に伝送ユニット及び数個の接点が設けられており、該トレー底部には複数の端子が設けられており、該トレーを摺動させて開けることでメモリカードを設置すると、該トレーの端子が該メモリカードの出入力端子と接触し、該トレーを摺動させて閉じることで、該トレー下方と該回路基板の接続端子とを接触させて電気的に連結させ、該メモリカードのデータが該出入力端子、該トレーの端子及び接点を通し、該伝送ユニットによってデータが伝送されるものであることを特徴とするトレータイプのシリコンディスクドライブである。
請求項２の発明は、外枠、該外枠内に設置される台座、及び該台座上にて摺動して移動することにより開閉するトレーとより構成されるトレータイプのシリコンディスクドライブにおいて、且つ該台座下方には更に回路基板が設けられており、該回路基板には更に伝送ユニット及び数個の接点がもうけられており、該トレー底部には複数の端子が設けられており、該端子には更に該トレー本体に固定される固定端並びに上下にそれぞれ湾曲した第一接触端と第二接触端とを具有し、該トレーを摺動させて開け、該メモリカードを設置すると、該第一接触端は該メモリカードの出入力端子と接触し、該トレーを摺動させて閉じると、該第二接触端は該台座下方の回路板の接点と電気的に連結されて、該伝送ユニットをとして該メモリカードのデータが伝送されることを特徴とするトレータイプのシリコンディスクドライブである。
請求項３の発明は、外枠、該外枠内に設置される台座、及び該台座上にて摺動して移動することにより開閉するトレーとより構成されるトレータイプのシリコンディスクドライブにおいて、該外枠内には回路基板が設置され、該回路基板には更に伝送ユニット及び数個の接点が設けられており、該トレー底部には複数の端子が設置されており、且つ前方には位置限定部が設けられており、該位置限定部には更にストップ板及び少なくとも一つ以上の弾力部が設けられており、該トレーを摺動させて開けることで該メモリカードを設置すると、該ストップ板は前向きに傾いて回転した後、該弾力部が弾力を回復することにより、該メモリカードを定位させ、該メモリカードの出入力端子が該トレー底部と接触し、逆に該トレーを摺動させて閉じると、該端子が該回路板の接点と電気的に連結され、並びに該伝送ユニットを通じて該メモリカードのデータが伝送されることを特徴とするトレータイプのシリコンディスクドライブである。
請求項４の発明は、該伝送ユニットの規格には更にＩＤＥ／ＡＴＡＰＩ，ＵＳＢ及びＩＥＥＥ１３９４のシステムのインターフェイスを含むことを特徴とする請求項１或いは請求項２或いは請求項３記載のトレータイプのシリコンディスクドライブである。
請求項５の発明は、該外枠は該伝送ユニットによって該コンピュータホスト及び形態タイプのデジタル器機に連結されていることを特徴とする請求項１或いは請求項２或いは請求項３記載のトレータイプのシリコンディスクドライブである。
請求項６の発明は、該台座両側には更に軌道が設けられており、且つ片側にはリジェクトボタンが設けられており、また該トレー両側には該軌道に合わせて導引溝が設けられており、該トレーが該台座上にて摺動して移動し閉じられるようにしており、該リジェクトボタンを押すことで該トレーが開かれることを特徴とする請求項１或いは請求項２或いは請求項３記載のトレータイプのシリコンディスクドライブである。
請求項７の発明は、該台座底部は平板状を呈しており、且つ数個の孔が設けられ該回路基板の接点に対応しており、該トレーが摺動して閉じるとき、該トレーの端子が該孔を経て該回路基板の接点と電気的に連結されることを特徴とする請求項１或いは請求項２或いは請求項３記載のトレータイプのシリコンディスクドライブである。
請求項８の発明は、該トレー前側には位置限定部が設けられており、且つ該位置限定部には更にストップ板、並びに少なくとも一つ以上の弾力部が設けられており、該トレーが摺動して開き、該メモリカードを設置するとき、該ストップ板が前向きに傾いて回転した後、該弾力部の弾力が回復することにより、該メモリカードを引っ掛けて押さえることを特徴とする請求項１或いは請求項２記載のトレータイプのシリコンディスクドライブである。
請求項９の発明は、該トレー底部に設けられた複数の端子はそれぞれ該トレー本体の固定端、及びそれぞれ上向きと下向に湾曲した第一及び第二接触端を具有し、該トレーが摺動して開けられて該メモリカードが設置されると、該第一接触端が該メモリカードの出入力端子と接触し、該トレーが摺動して閉じられると、該第二接触端が該台座下方の回路板の接点と電気的に連結されることを特徴とする請求項１或いは請求項２或いは請求項３記載のトレータイプのシリコンディスクドライブである。
請求項１０の発明は、該位置限定部には更に連動片を含み、該ストップ板はやや前方に傾いて回転すると同時に、下方の該連動片底部を上側に向かって連動させ、こうすることで該連動片が該メモリカードを上向きに持ち上げて、該メモリカードが該トレーより取り出し易くなることを特徴とする請求項３記載のトレータイプのシリコンディスクドライブである。
上記の各発明は、コンピュータホストをシリコンディスクドライブにより、多種の規格のメモリカード（シリコンディスク）に対し、読み書きが行えるようにするべく、先ず外枠及び該外枠内に設置される台座、並びに台座上で摺動して開閉するトレーより構成し、該外枠内には更に回路基板を設け、該回路基板には伝送ユニット及び数個の接点を設け、該トレー底部には更に複数の端子を設け、該トレーを摺動移動させて開け、該メモリカードを設置することで、該トレーの端子上方を該メモリカードの出入力端子と接触させ、該トレーを摺動させて閉じると、該トレーの端子下方がちょうど該回路基板の接点と電気的に連結され、該メモリカードのデータが該出入力端子や該トレーの端子及び接点を通し、該伝送ユニットによって伝送が行われるようにする。したがって、従来のようにシリコンディスク自体を滑らして挿入するのではなく、シリコンディスクをトレーの上方から下方に圧着挿入し、接点が丈夫で摩耗に対して強くすることが可能なトレーを滑らせて挿入するので、シリコンディスク自体は滑りによる摩耗がない。
【０００５】
【発明実施の形態】
本発明の好適な実施例を図面に沿って説明する。
図２，３に示すように、本発明は主に外枠１０，該外枠１０内に設置される台座２０，及び該台座２０上にて摺動して開閉させるトレー３０より構成される。
【０００６】
該外枠１０には伝送ユニット１１（図３を参照、図２には図示せず）が設けられており、コンピュータホストシステム４０或いはデジタル器機に外接或いは内部に搭載されている。実施時には該伝送ユニット１１はＩＤＥ／ＡＴＡＰＩシステムインターフェイスの規格とし、該外枠１０をコンピュータホストシステム４０（図２を参照）に搭載し易くしており、またＵＳＢ（Ｕｎｉｖｅｒｓａｌ　Ｓｅｒｉａｌ　Ｂｕｓ）或いはＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４等のシステムのインターフェイス規格としてもよく、該外枠１０を該コンピュータホスト４０や携帯タイプのデジタル器機上にに外接（図３を参照）し、こうすることでメモリカード５０に対し、読み取りや書込みが行えるようにする。
【０００７】
図４から図７に示すように、該外枠１０内には回路基板１２が設けられており、且つ該回路基板１２には前述の伝送ユニット１１及び数個の接点１３が設けられており、該接点１３は該基板１２の後方で該伝送ユニット１１と連結されている。該伝送ユニット１１においては、伝送信号用であり、少なくとも回路基板１２上のチップやコネクタ、並びに該コネクタと接続される信号ケーブルなどを含む。
図４で該外枠１０外部後方に設置されているのは伝送ユニット１１の信号ケーブル、また、図５は回路基板１２の後方の該伝送ユニット１１のコネクタであり、これらは公知の構造であることより、敢えて説明は加えない。
【０００８】
該台座２０は該外枠１０内の回路基板１２上方に設置されており、該台座２０の両側には軌道２１が設けられており、また片側にはリジェクトボタン２２が設けられている。
図５は台座２０を実装過程の図であるが、図５に示すように、該台座２０の底部は開いた状態を呈しており、該回路基板１２の接点１３を直接該台座２０下方にて露出した状態としている。実装時には底部には数個の孔２３をゆうする台座２０は回路基板１２上に、公知の手段で予め固定され、図６，７に示すように、平板状の底部を呈しており、且つ数個の孔２３が設けられており、該孔２３と回路基板１２の接点１３は相互に対応している。
【０００９】
更に図４から図７に示すように、該トレー３０中央は設置空間３１となっており、該トレー３０には各種異なるタイプのメモリカード５０が上方から下方に押圧するように装着され、両側は該台座２０の軌道２１に相対して導入溝３２が設けられており、こうすることで該トレー３０が該台座２０上で摺動して開閉するようになっている。また該トレー３０の前縁には位置限定部７０が設けられており、底部は該回路基板１２の接点１３に対応して複数の端子８０が設けられている。
また該トレー３０は該台座２０上で摺動移動して開閉するが、設置空間３１にメモリカード５０を装着すると、該位置限定部７０によって該メモリカード５０を定位置に挿入し、該トレーの端子８０は該メモリカード５０の出力端子５１と接触し、該トレー３０が摺動して閉じられるとき、該トレーの端子８０はちょうど該回路基板１２の接点１３と位置が合い、電気的に連結されるようになる。
【００１０】
図６，７に示すように、該台座２０底部には数個の孔２３が設けられており、並びに該孔２３の位置は回路基板１２の接点１３の位置に対応しており、よって該トレー３０が摺動して閉じる際、該端子８０は先ず該孔２３と位置が合い、更に該孔２３を貫通して該回路基板１２の接点１３と電気的に連結される。
このように、トレー３０には各種異なるタイプのメモリカード５０が上方から下方に押圧するように装着され、トレー３０がスライドして後方の回路基板１２上に挿入されることになる。したがって、メモリカード５０の接点が摺動すことはなく、トレー３０とその端子８０、８３が摺動することになる。
このとき、該メモリカード５０の出入力端子５１，トレーの端子８０及び接点１３は相互に連通した状態を呈しており、該メモリカード５０が保存しているデータを、順に該出入力端子５１，トレー端子８０，接点１３を通して該伝送ユニット１１（図２，４参照）コンピュータホスト４０や携帯タイプのデジタル器機にまで伝送する。
こうして該メモリカード５０がシリコンディスク（Ｓｉｌｉｃｏｎ　Ｄｉｓｋ）ドライブをとおしてデータの読み取りや書込みを行い、該メモリカード５０を取り出そうとする際は、該リジェクトボタン２２を押すことによって該トレー３０を摺動させて開け、使用者が該メモリカード５０を取り出せるようにする。
【００１１】
図６から図９に示すように、本発明の実施例においては、該トレー３０底部に設けられた複数の端子８０には固定端８１、並びに弾性を有する第一接触部８２，第二接触部８３を具有することより、該固定端８１を該トレー８０本体に固定し、該第一及び第二接触端８２，８３はそれぞれ上と下に湾曲して突出する。
図８において、該トレー３０を該メモリカード５０に装着する際、メモリカード５０底部の出入力端子５１は上方へ湾曲している第一接触部８２と接触し、該トレー３０が摺動して閉じる際、該トレーの端子８０の下向に湾曲している第二接触端８３は孔２３を貫通して該回路基板１２の接点１３と電気的に連結される。このとき該メモリカード５０底部の出入力端子５１は該トレーの端子８０を経て該回路基板１２の接点１３と電気的に連結され、こうしてメモリカード５０の読み取り及び書込みが行われる。なお、図９の複数の端子８０´は、トレー３０底部に設けられた図８の変形の実施例であり、台座２０底部の孔２３は第二接触端８３´に適合するように所望の形状にすればよい。
【００１２】
図６から図９に示すのは、図５，６で示す二つの異なる形状の端子８０，８０´の実施例であり、主にトレー３０が摺動する際、該第二接触端８３，８３´が該台座２０底部で摺動して摩擦が起こり、該第二接触端８３，８３´は該接点１３と位置が合うとき、該第二弾接触端８３，８３´は自動的に該孔２３に弾かれて入りこみ、該回路基板１２の接点１３と電気的に連結が成され、よって該第二接触端８３，８３´の下向に湾曲した方向を該トレー３０の摺動する方向を同じにすることで、該第二接触端８３，８３´と該台座２０の間の摩擦抵抗を減少させることに繋がる。また同様の理由により、該台座２０の実施例中では、該台座２０底部に孔２３を設けておらず開いた状態となっており、該トレー３０移動の際、該第二接触部８３，８３´と該基板１２とに摩擦が起こる。
【００１３】
また、該トレーの端子８０，８０´の第一及び第二接触端はそれぞれ上，下に湾曲した設計となっており、こうすることで該第二接触端８３，８３´の下向に湾曲した方向は、該トレー３０の摺動方向と同じである条件の下、該第一接触端８２，８２´の方向は制限を受けず、且つ該メモリカード５０の出入力端子５１はトレーの端子８０，８０´と摺動して摩擦が起こり、該メモリカード５０の設置方向は制限を受けず、大きさも異なる規格のメモリカード５０がメモリカードコネクタ上のトレー３０の設置空間３１を共用できるようになり、一つのメモリカードコネクタに多くの異なる規格のメモリカードが設置できるようになり、異なる規格のメモリカード５０間のデータ流通が行えるようになる。またここで言うメモリカード５０には少なくとも、ＣＦ（ＣｏｍｐａｔＦｌａｓｈ（登録商標））Ｃａｒｄのｔｙｐｅ１／２やＳＭ（Ｓｍａｒｔ　Ｍｅｄｉａ　（登録商標）縦４５ｍｍ　横３７ｍｍ　厚さ０．７６ｍｍの記憶メディア）Ｃａｒｄ，Ｍｕｌｔｉ　Ｍｅｄｉａ　Ｃａｒｄ（Ｍｕｉｔｉｍｅｄｉａ　Ｃａｒｄ　縦３２ｍｍ　横２４ｍｍ　厚さ１．４ｍｍの記憶メディア）　やＳｅｃｕｒｅ　Ｍｅｄｉａ　Ｃａｒｄ、Ｓｅｃｕｒｅ　Ｄｉｇｉｔａｌ　Ｃａｒｄ（Ｓｅｃｕｒｅ　Ｄｉｇｉｔａｌ　Ｃａｒｄ　縦２４ｍｍ　横３２ｍｍ　厚さ２．１ｍｍの記憶メディア）、ｘＤ　Ｃａｒｄ（ＸＤ−Ｐｉｃｔｕｒｅ　Ｃａｒｄ（登録商標）縦２０ｍｍ横２５ｍｍ厚さ１．７ｍｍの記憶メディアメ）びメモリースティック（Ｍｅｍｏｒｙ　Ｓｔｉｃｋ（登録商標））カード等を含む。
該メモリカード５０を該トレー３０上にカード面を水平にして上方より設置すると、カードの底部の出力端子５１と上向きに湾曲した第一接触部８２とが接触する際、該第一接触端８２には上向きの反作用力が生じ、該メモリカード５０が上向きに押し上げられた状態となり、該位置制限部７０は該メモリカード５０定位後、該メモリカード５０の出入力端子５１と該第一接触端８２との間にて緊密な接触状態を保つようになる。
【００１４】
図５及び図１０，１１に示すように、該定位部７０実施においては、更にストップ板７１を含み、少なくとも弾力部７２及び連動片７３を含み、該ストップ板７１は該トレー３０前縁に枢設されて前後に傾いて回転するようになっており、またその内側には下向に傾斜したフック７４が設けられており、且つ該ストップ板７１は前向きに傾いて回転する際、該弾力部７２が弾性の回復力により、該ストップ板７１下方の連動片７３を連動し、底部から上方に持ち上げる。
該メモリカード５０の下向に位置するトレー３０は、側面が該フック７４の斜面を押すとき、該ストップ板７１はやや前方に傾いて回転し、且つ該弾力部７２は弾性の回復力を生じ、該メモリカード５０の側面が該フック７４を通過した後、該ストップ板７１が該弾力部７２の作用力によって元の位置に戻り、該フック７４が該メモリカード５０の側面上方でストップされ、よって自動で位置が制限されるようになる。
該メモリカード５０を取り出そうとする際は、該ストップ板７１をやや前向きに回転させると同時にその下方の連動片７３を上方に持ち上げる。すると該連動片７３は該メモリカード５０を上向きに持ち上げ、該トレー３０より該メモリカード５０が取り出し易いようになる。また、図７に示すように、実施例中で該メモリカード５０が該トレー３０に位置するとき、該第一接触端（部）８２は上向きの反作用力を生じ、該メモリカード５０を上向きに持ち上げ、よって該メモリカード５０は該ストップ板７１のフック７４によって限定されていた位置より抜け出し、該メモリカード５０が再び下方に押されない限りは、該メモリカード５０は該第一接触部８２の持ち上げる力によって取り出しやすい状態を保持する。
したがって、実施例では、従来のようにシリコンディスク自体を滑らして挿入するのではなく、シリコンディスク５０をトレー３０の上方から下方に圧着挿入し、その後、レー３０を滑らせて挿入するので、第二接触端８３，８３´と接点１３が摩耗することがあってもシリコンディスク自体は滑りによる摩耗がない。そして、第二接触端８３，８３´と接点１３はシリコンディスク５０とは異なり、摩耗に対して強くすることが十分可能である。
【００１５】
【発明の効果】
本発明によると、シリコンディスクをトレーの上方から下方に圧着挿入し、接点が丈夫で摩耗に対して強くすることが可能なトレーを滑らせて挿入するので、シリコンディスク自体は滑りによる摩耗がないため、シリコンディスクの接点が消失することがなく、大切なデータが読み取れないという不都合が解消されるという効果を奏し、また、簡単な構造により、小さな空間を多種の異なる規格のメモリカードが共用し、データの読み書きが安定して行え、利便性や実用性が向上するという効果を奏する。
【図面の簡単な説明】
【図１】公知の装置における外接着脱タイプのメモリカードにおける説明図である。
【図２】本発明の実施例をコンピュータホストシステムに搭載した場合における説明図である。
【図３】本発明の実施例をコンピュータホストシステムに外接した差異における説明図である。
【図４】本発明の実施例に各種異なる規格のメモリカードに設置した際における説明図である。
【図５】本発明の実施例における立体分解図である。
【図６】本発明の実施例の台座における実施例の説明図である。
【図７】本発明の実施例の台座，トレー，端子とメモリカードの連結関係を示す図である。
【図８】本発明のトレーの端子の実施例の説明図である。
【図９】本発明のトレーの別の実施例の説明図である。
【図１０】本発明の実施例中の定位動作における説明図である。
【図１１】本発明の実施例中の定位動作における説明図である。
【符号の説明】
１０　装置外枠
１１　伝送ユニット
１２　回路基板
１３　接点
２０　台座
２１　軌道
２２　リジェクトボタン
２３　孔
３０　トレー
３１　孔
３２　導入溝
４０　コンピュータホストシステム
５０　メモリカード
５１　出入力端子
７０　位置限定部
７１　ストップ板
７２　弾力部
７３　連動片
７４　フック
８０　端子
８１　固定端
８２　第一接触端
８３　第二接触端
【図１】
2004103543.tif 000003
【図２】
2004103543.tif 000004
【図３】
2004103543.tif 000005
【図４】
2004103543.tif 000006
【図５】
2004103543.tif 000007
【図６】
2004103543.tif 000008
【図７】
2004103543.tif 000009
【図８】
2004103543.tif 000010
【図９】
2004103543.tif 000011
【図１０】
2004103543.tif 000012
【図１１】
2004103543.tif 000013